【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
生分解性有機物を含み、都市又は産業の固形廃棄物及び半固形廃棄物（スラッジ）を処理するための組成物であって、
該組成物は、紅藻類（部門  紅藻植物門）の粒子と、褐藻類（部門  褐藻植物門）の粒子の混合物であり、両方とも脱水し、化学処理していない組成物。
【請求項２】
紅藻類の粒子は、石灰紅藻類粒子、非石灰紅藻類粒子及びそれらの組み合わせの中から選択される請求項１に記載の組成物。
【請求項３】
組成物は、３〜４乾燥重量部の石灰紅藻類粒子である第１部分と、０〜１乾燥重量部の非石灰紅藻類粒子である第２部分と、１〜２乾燥重量部の褐藻類粒子である第３部分を含んで成る請求項１又は２に記載の組成物。
【請求項４】
組成物は、３〜４乾燥重量部の石灰紅藻類粒子である第１部分と、０．５〜１乾燥重量部の非石灰紅藻類粒子である第２部分と、１〜２乾燥重量部の褐藻類粒子である第３部分を含んで成る請求項１又は２に記載の組成物。
【請求項５】
石灰紅藻類粒子は、イシモ属の石灰紅藻類粒子、アッケシイシモ属の石灰紅藻類粒子及びそれらの組み合わせから選択される請求項２又は３に記載の組成物。
【請求項６】
非石灰紅藻類粒子は、オゴノリ属の非石灰紅藻類粒子、キリンサイ属の非石灰紅藻類粒子、オオキリンサイ属の非石灰紅藻類粒子、イバラノリ属の非石灰紅藻類粒子及びそれらの組み合わせから選択される請求項２又は３に記載の組成物。
【請求項７】
褐藻類の粒子は、マクロシスティス属の褐藻類粒子、コンブ属の褐藻類粒子、アスコフィラム属の褐藻類粒子、カジメ属の褐藻類粒子、ヒバマタ属の褐藻類粒子、及びそれらの組合せから選択される請求項１〜３のいずれかに記載の組成物。
【請求項８】
イシモ属及びアッケシイシモ属の石灰紅藻類粒子、オゴノリ属、キリンサイ属、オオキリンサイ属及びイバラノリ属の非石灰紅藻類粒子、及びマクロシスティス属、コンブ属、アスコフィラム属、カジメ属及びヒバマタ属の褐藻類粒子を含んで成る請求項１〜４のいずれかに記載の組成物。
【請求項９】
オゴノリ属、キリンサイ属、オオキリンサイ属及びイバラノリ属の非石灰紅藻類粒子、及びマクロシスティス属、コンブ属、アスコフィラム属、カジメ属及びヒバマタ属の褐藻類粒子を含んで成る請求項１〜４のいずれかに記載の組成物。
【請求項１０】
石灰紅藻類粒子は、３０〜６００μｍの間の粒子を含む粒度分布を有する、脱水、破砕及び粉砕された石灰紅藻類粒子である請求項２〜９のいずれかに記載の組成物。
【請求項１１】
非石灰紅藻類粒子は、３０〜１２００μｍの間の粒子サイズを有し、脱水非石灰紅藻類粒子である請求項２〜９のいずれかに記載の組成物。
【請求項１２】
脱水された前記褐藻類粒子は、３０〜１２００μｍの間の粒子サイズを有する脱水褐藻類粒子である請求項１〜１１のいずれかに記載の組成物。
【請求項１３】
生分解性有機物を含む固体及び／又は半固体廃棄物を処理する方法であって、
請求項１〜１２のいずれかに記載の組成物と接触させて廃棄物を配置することで構成される方法。
【請求項１４】
廃棄物は、都市及び産業の固体廃棄物及び半固体廃棄物（スラッジ）であって、
１メートルトンの廃棄物当り、１〜１０ｋｇの粒子混合物を使用するために、組成物の量を十分にまき散らす請求項１１に記載の方法。
【請求項１５】
廃棄物は、都市及び産業の固体廃棄物及び半固体廃棄物（スラッジ）であって、
１メートルトンの廃棄物当り、１〜５ｋｇの粒子混合物を使用するために、組成物の量を十分にまき散らす請求項１３に記載の方法。
【手続補正２】
【補正対象書類名】明細書
【補正対象項目名】００２１
【補正方法】変更
【補正の内容】
【００２１】
処理によって生じる廃棄物は、乾燥した無臭生成物からなり、廃棄物の割合及び組成に応じて高燃焼熱（３，０００〜７，０００ｋｃａｌの間）を有し、燃料として完全に使用可能である。
以下に本発明の主な態様を記載する。
１．
生分解性有機物を含み、都市又は産業の固形廃棄物及び半固形廃棄物（スラッジ）を処理するための組成物であって、
該組成物は、紅藻類（部門  紅藻植物門）の粒子と、褐藻類（部門  褐藻植物門）の粒子の混合物であり、両方とも脱水し、化学処理していない組成物。
２．
紅藻類の粒子は、石灰紅藻類粒子、非石灰紅藻類粒子及びそれらの組み合わせの中から選択される上記１に記載の組成物。
３．
組成物は、３〜４乾燥重量部の石灰紅藻類粒子である第１部分と、０〜１乾燥重量部の非石灰紅藻類粒子である第２部分と、１〜２乾燥重量部の褐藻類粒子である第３部分を含んで成る上記１又は２に記載の組成物。
４．
組成物は、３〜４乾燥重量部の石灰紅藻類粒子である第１部分と、０．５〜１乾燥重量部の非石灰紅藻類粒子である第２部分と、１〜２乾燥重量部の褐藻類粒子である第３部分を含んで成る上記１又は２に記載の組成物。
５．
石灰紅藻類粒子は、イシモ属の石灰紅藻類粒子、アッケシイシモ属の石灰紅藻類粒子及びそれらの組み合わせから選択される上記２又は３に記載の組成物。
６．
非石灰紅藻類粒子は、オゴノリ属の非石灰紅藻類粒子、キリンサイ属の非石灰紅藻類粒子、オオキリンサイ属の非石灰紅藻類粒子、イバラノリ属の非石灰紅藻類粒子及びそれらの組み合わせから選択される上記２又は３に記載の組成物。
７．
褐藻類の粒子は、マクロシスティス属の褐藻類粒子、コンブ属の褐藻類粒子、アスコフィラム属の褐藻類粒子、カジメ属の褐藻類粒子、ヒバマタ属の褐藻類粒子、及びそれらの組合せから選択される上記１〜３のいずれかに記載の組成物。
８．
イシモ属及びアッケシイシモ属の石灰紅藻類粒子、オゴノリ属、キリンサイ属、オオキリンサイ属及びイバラノリ属の非石灰紅藻類粒子、及びマクロシスティス属、コンブ属、アスコフィラム属、カジメ属及びヒバマタ属の褐藻類粒子を含んで成る上記１〜４のいずれかに記載の組成物。
９．
オゴノリ属、キリンサイ属、オオキリンサイ属及びイバラノリ属の非石灰紅藻類粒子、及びマクロシスティス属、コンブ属、アスコフィラム属、カジメ属及びヒバマタ属の褐藻類粒子を含んで成る上記１〜４のいずれかに記載の組成物。
１０．
石灰紅藻類粒子は、３０〜６００μｍの間の粒子を含む粒度分布を有する、脱水、破砕及び粉砕された石灰紅藻類粒子である上記２〜９のいずれかに記載の組成物。
１１．
非石灰紅藻類粒子は、３０〜１２００μｍの間の粒子サイズを有し、脱水非石灰紅藻類粒子である上記２〜９のいずれかに記載の組成物。
１２．
脱水された前記褐藻類粒子は、３０〜１２００μｍの間の粒子サイズを有する脱水褐藻類粒子である上記１〜１１のいずれかに記載の組成物。
１３．
生分解性有機物を含む固体及び／又は半固体廃棄物を処理する方法であって、
上記１〜１２のいずれかに記載の組成物と接触させて廃棄物を配置することで構成される方法。
１４．
廃棄物は、都市及び産業の固体廃棄物及び半固体廃棄物（スラッジ）であって、
１メートルトンの廃棄物当り、１〜１０ｋｇの粒子混合物を使用するために、組成物の量を十分にまき散らす上記１１に記載の方法。
１５．
廃棄物は、都市及び産業の固体廃棄物及び半固体廃棄物（スラッジ）であって、
１メートルトンの廃棄物当り、１〜５ｋｇの粒子混合物を使用するために、組成物の量を十分にまき散らす上記１３に記載の方法。
１６．
都市の固体廃棄物のパイルに、組成物をまき散らす上記１４又は１５に記載の方法。